(57)【要約】      （修正有）【課題】ショルダーパッドの上面に着脱可能な飾りを取り付けられる構造のショルダーパッドを提供する。【解決手段】ショルダーベルトに装着する時に必要となる開閉部分を下面即ち肩にあたる部分に設ける事により上面のスペースに面ファスナーで飾りを取り付ける事ができる。ショルダーパッドの上面に小動物のぬいぐるみなどを取り付けて使用すれば、本物の動物が肩に乗っているようなインパクトのある視覚効果が得られる。留めたスナップボタンがショルダーベルトの下側に位置するためバッグの荷重により使用中はスナップボタンが外れにくい効果がある。本ショルダーパッドのクッション材は一定の厚みがあり肩の形状に凹み、面で接触するために摩擦が大きくなりズレ落ち防止に効果がある。【選択図】図１
0003169297.tif 000002
【実用新案登録請求の範囲】
【請求項１】
ショルダーベルトに装着する時に必要な開閉部分をショルダーパッドの下面に設け、肩にあたる部分にクッション材を取り付ける。又、ショルダーパッドの上面には面ファスナーで着脱可能な飾りを取り付けられる事を特徴とするショルダーパッド。
【請求項２】
肩にあたるクッション材は軟質素材で一定の厚みがあり、わずかな荷重でも肩の形状に沿って凹む素材を取り付けた請求項１に記載のショルダーパッド。
【請求項３】
ショルダーパッドの上面にぬいぐるみ、リボン、キャラクター人形、花、等の飾りの付いたカバーを面ファスナーで取り付けられる請求項１に記載のショルダーパッド。
【考案の詳細な説明】
【考案の詳細な説明】
【技術分野】
【０００１】  本考案はバッグ等のショルダーベルトに取り付けて使用し、ベルトのズレ落ち防止機能とショルダーパッドに取り付けた飾りによりインパクトのある視覚効果を持ったものである
【背景技術】
【０００２】  従来のショルダーパッドは荷重を分散して肩の負担を軽減したり、滑り止め素材を使用したものであり、ショルダーベルトに取り付けると言う観点から着脱の容易さやファッション性に欠けている。
【先行技術文献】
【特許文献】
【０００３】
【特許文献１】  実用新案登録３１６４７６９
【考案の概要】
【考案が解決しようとする課題】
【０００４】  本考案は、既存のバッグのショルダーベルトに取り付けて使用するため容易に着脱できる開閉構造でなければならない。【０００５】  視覚的に周囲にインパクトを与えるファッション性とショルダーベルトのズレ落ち防止機能を備えた物を提供する。
【課題を解決するための手段】
【０００６】  ショルダーベルトに装着する時に必要となる開閉部分をショルダーベルトの下面、即ち肩にあたる部分に設ける事によりショルダーパッドの上面が自由なスペースになる。このスペースにぬいぐるみ、リボン、キャラクター人形、花、等の付いたカバーを面ファスナーで取り付ける。【０００７】  このショルダーパッドの装着方法はショルダーベルトを中央に置き巻くように三つ折りにしてホックで留めるシンプルで容易に着脱できる物である。【０００８】  このショルダーパッドのクッション材は軟質で一定の厚みがありバッグの荷重で肩の形状に凹む物である。
【考案の効果】
【０００９】  ショルダーパッドの上面に小動物のぬいぐるみなどを取り付けて使用すれば、本物の動物が肩に乗っているようなインパクトのある視覚効果が得られる。【００１０】  留めたスナップボタンがショルダーベルトの下側に位置するためバッグの荷重により使用中はスナップボタンが外れにくい効果がある。【００１１】  従来のショルダーパッドのクッション材は長手方向の縁が肩に接触しているために摩擦が少なくズレ落ちてしまうが、本考案のショルダーパッドのクッション材は一定の厚みがあり肩の形状に凹み、面で接触するために摩擦が大きくなりズレ落ち防止に効果がある。
【図面の簡単な説明】
【００１２】
【図１】ショルダーベルトに取り付けた状態の本考案の斜視図。
【図２】ショルダーパッドを開いた状態の平面図。
【図３】ショルダーパッドを開いた状態の正面図。
【図４】ショルダーパッドを閉じた状態の正面図。
【図５】ホックの位置の断面図。
【図６】従来のショルダーパッドが肩に接触している状態の図。
【図７】本考案のショルダーパッドが肩に接触している状態の図。
【図８】カバーの上にぬいぐるみを付けた例である。
【図９】ロゴマーク入りのカバーにリボンを吊り下げた例である。
【図１０】ロゴマーク入りのカバーにキャラクター人形を吊り下げた例である。
【図１１】絵柄入りカバーに花を吊り下げた例である。
【図１２】使用状態を示した図
【符号の説明】  １．ショルダーパッド本体
２．面ファスナー（ａループ  ｂフック）
３．ホック（ａオス  ｂメス）
４．クッション材
５．ショルダーベルト
６．カバー
７．８．ロゴマーク入りカバー
９．絵柄入りカバー
１０．ぬいぐるみ
１１．リボン
１２．キャラクター人形
１３．花
１４．ボールチェーン
１５．ハトメ
【考案を実施するための形態】
【００１３】  図３に示すようにショルダーパッドの中央下面にショルダーベルトを置きショルダーパッド両端部分イ，ロ，の順でショルダーベルトを巻くように内側に折り込みホックで取り付ける。図４参照。
【００１４】  図５に示すように筒状になったショルダーパッドの中にショルダーベルトが通った状態になる。又、ショルダーベルトの下にあるホックにはバッグの荷重がかかり外れにくい構造になっている。
【００１５】  図６に示すように従来のショルダーパッドは滑り止め効果のある素材を使用しても肩の湾曲に沿ってパッドの縁が肩（衣服）と接触している状態なので摩擦が少なくズレ落ちてしまう。
【００１６】  図７に示すように本考案のショルダーパッドはクッション材に一定の厚みのある軟質素材を使用するため、バッグのわずかな荷重でも肩の形状に沿って凹み面で肩（衣類）と接触するために摩擦が大きくなりズレ落ち防止に効果がある。
【００１７】  図８はカバーの上面に直接ぬいぐるみ等の飾りを取り行けたものである。
【００１８】  図９、図１０、図１１、に示すようにカバーの端に取り付けたハトメにボールチェーン又は、紐状のものを通しリボン等の飾りを吊り下げたものである。
【００１９】  カバーは表面にロゴマークや絵柄などを印刷できる軟質なものである。又、裏面には面ファスナーが取り付けてありショルダーパッドの上面に着脱できるものである。
【産業上の利用可能性】
【００２０】  人の目線上にある肩の位置に付加価値として企業キャラクターやロゴマークを付ければ効率的に周知する事ができ宣伝効果にもなる。
【図１】
0003169297.tif 000003
【図２】
0003169297.tif 000004
【図３】
0003169297.tif 000005
【図４】
0003169297.tif 000006
【図５】
0003169297.tif 000007
【図６】
0003169297.tif 000008
【図７】
0003169297.tif 000009
【図８】
0003169297.tif 000010
【図９】
0003169297.tif 000011
【図１０】
0003169297.tif 000012
【図１１】
0003169297.tif 000013
【図１２】
0003169297.tif 000014
【手続補正書】
【提出日】平成23年4月25日(2011.4.25)
【手続補正１】
【補正対象書類名】実用新案登録請求の範囲
【補正対象項目名】請求項１
【補正方法】変更
【補正の内容】
【請求項１】
ショルダーベルトに装着する時に必要な開閉部分が下面に設けられ、肩にあたる部分にはクッション材が取り付けられ、上面には飾りを着脱するための面ファスナーが取り付けられていることを特徴とするショルダーパッド。